(57)【特許請求の範囲】
【請求項１】
吸収性物品本体と、その吸収性物品本体の前側又は背側における肌面側に付与された再締結のための略シート状の締結部材とを備え、
前記吸収性物品本体は、外装材と、その外装材の肌面側に付与され、吸収体を有する吸収性本体とを有している使い捨て吸収性物品の製造方法であって、
前記吸収性本体を構成するための材料が連続的に連なってなる第１連続体を単位長さごとに分断して前記吸収性本体を得る吸収性本体形成工程と、
前記締結部材を構成するための材料が連続的に連なってなる第２連続体を単位長さごとに分断して前記締結部材を得る締結部材形成工程と、
分断前の前記第１連続体又は分断後の前記吸収性本体の外面側に、前記締結部材形成工程で得られた前記締結部材を仮付与する締結部材仮付与工程と、
前記外装材を構成するための材料が連続的に連なってなる第３連続体の肌面側に、その第３連続体と前記吸収性本体との間に前記締結部材を挟込むようにして、前記吸収性本体を付与する吸収性本体付与工程と、
前記吸収性本体が付与された前記第３連続体を製品単位ごとに分断する製品分断工程と、
を備え、
前記吸収性本体付与工程では、前記吸収性本体の前記第３連続体への付与に伴って前記締結部材を前記第３連続体に本付与することを特徴とする使い捨て吸収性物品の製造方法。
【請求項２】
請求項１に記載の使い捨て吸収性物品の製造方法において、
前記第１連続体は、前記吸収性本体を構成するための前記材料が前記吸収性物品の縦方向に連続的に連なって構成され、
前記第２連続体は、前記締結部材を構成するための前記材料が前記縦方向に連続的に連なって構成され、
前記第３連続体は、前記外装材を構成するための前記材料が前記吸収性物品の横方向に連続的に連なって構成され、
前記吸収性本体形成工程、前記締結部材形成工程及び前記吸収性本体付与工程では、前記第１連続体、前記第２連続体及び前記第３連続体が互いの長手方向が略平行な状態で搬送されつつ、それぞれの加工処理が行われ、
前記吸収性本体付与工程では、前記第３連続体をその長手方向に搬送しつつ、前記締結部材が仮付与された前記吸収性本体を前記第１連続体の搬送方向と垂直な軸周りに回転させて前記第３連続体に付与することを特徴とする吸収性物品の製造方法。
【請求項３】
請求項１又は請求項２に記載の使い捨て吸収性物品の製造方法において、
前記締結部材仮付与工程では、前記締結部材を前記第１連続体又は前記吸収性本体に仮接合することを特徴とする使い捨て吸収性物品の製造方法。
【請求項４】
請求項１ないし請求項３のいずれかに記載の使い捨て吸収性物品の製造方法において、
前記締結部材は、前記吸収性物品本体の左右に付与される一対の締結シート材を備えることを特徴とする使い捨て吸収性物品の製造方法。
【発明の詳細な説明】
【技術分野】
【０００１】
本発明は、再締結のための締結部材が設けられた使い捨て吸収性物品の製造方法に関する。
【背景技術】
【０００２】
従来技術としては、下記特許文献１に記載のものがある。この従来技術では、吸収性物品本体を構成する材料が吸収性物品を基準として横方向に連続的に連なってなる本体側連続体と、締結部材を構成するための材料が吸収性物品を基準として縦方向に連なってなる締結部材連続体とが、それらの長手方向に沿った搬送方向に略平行に搬送されるようになっている。そして、締結部材連続体が単位長さごとに分断されて形成された締結部材が、回転器を備えた転写ドラムによって、前記搬送方向と略垂直な軸周りに９０度回転されて、第１連続体に付与されるようになっている。
【特許文献１】特表２００５−５２６５３０号公報
【発明の開示】
【発明が解決しようとする課題】
【０００３】
しかしながら、上述の従来技術のように締結部材を直接転写ドラムにより転写する構成では、締結部材は薄いシート状の部材であるため、締結部材を転写ドラムにより本体側連続体に付与する際に、締結部材の状態が不安定になりやすく、締結部材のねじれ等が生じるおそれがある。このようにねじれ等が生じた状態で締結部材を本体側連続体に付与すると、締結部材の接合不良等が生じるおそれがある。
【０００４】
そこで、本発明の解決すべき課題は、締結部材を安定した状態で確実に吸収性物品の本体側に付与することができる使い捨て吸収性物品の製造方法を提供することである。
【課題を解決するための手段】
【０００５】
上記の課題を解決するため、請求項１の発明では、吸収性物品本体と、その吸収性物品本体の前側又は背側における肌面側に付与された再締結のための略シート状の締結部材とを備え、前記吸収性物品本体は、外装材と、その外装材の肌面側に付与され、吸収体を有する吸収性本体とを有している使い捨て吸収性物品の製造方法であって、前記吸収性本体を構成するための材料が連続的に連なってなる第１連続体を単位長さごとに分断して前記吸収性本体を得る吸収性本体形成工程と、前記締結部材を構成するための材料が連続的に連なってなる第２連続体を単位長さごとに分断して前記締結部材を得る締結部材形成工程と、分断前の前記第１連続体又は分断後の前記吸収性本体の外面側に、前記締結部材形成工程で得られた前記締結部材を仮付与する締結部材仮付与工程と、前記外装材を構成するための材料が連続的に連なってなる第３連続体の肌面側に、その第３連続体と前記吸収性本体との間に前記締結部材を挟込むようにして、前記吸収性本体を付与する吸収性本体付与工程と、前記吸収性本体が付与された前記第３連続体を製品単位ごとに分断する製品分断工程とを備え、前記吸収性本体付与工程では、前記吸収性本体の前記第３連続体への付与に伴って前記締結部材を前記第３連続体に本付与する。
【０００６】
また、請求項２の発明では、請求項１の発明に係る使い捨て吸収性物品の製造方法において、前記第１連続体は、前記吸収性本体を構成するための前記材料が前記吸収性物品の縦方向に連続的に連なって構成され、前記第２連続体は、前記締結部材を構成するための前記材料が前記縦方向に連続的に連なって構成され、前記第３連続体は、前記外装材を構成するための前記材料が前記吸収性物品の横方向に連続的に連なって構成され、前記吸収性本体形成工程、前記締結部材形成工程及び前記吸収性本体付与工程では、前記第１連続体、前記第２連続体及び前記第３連続体が互いの長手方向が略平行な状態で搬送されつつ、それぞれの加工処理が行われ、前記吸収性本体付与工程では、前記第３連続体をその長手方向に搬送しつつ、前記締結部材が仮付与された前記吸収性本体を前記第１連続体の搬送方向と垂直な軸周りに回転させて前記第３連続体に付与する。
【０００７】
また、請求項３の発明では、請求項１又は請求項２の発明に係る使い捨て吸収性物品の製造方法において、前記締結部材仮付与工程では、前記締結部材を前記第１連続体又は前記吸収性本体に仮接合する。
【０００８】
また、請求項４の発明では、請求項１ないし請求項３のいずれかの発明に係る使い捨て吸収性物品の製造方法において、前記締結部材は、前記吸収性物品本体の左右に付与される一対の締結シート材を備える。
【発明の効果】
【０００９】
請求項１に記載の発明によれば、締結部材を吸収性本体に仮付与しておき、吸収性本体の第３連続体への付与に伴って締結部材が第３連続体に本接合される構成であるため、締結部材を単独で第３連続体に付与する場合に比して、締結部材を格段に安定させた状態で第３連続体に付与することができ、その結果、締結部材を第３連続体に確実に付与することができる。
【００１０】
請求項２に記載の発明によれば、吸収性本体を構成するための第１連続体、締結部材を構成するための第２連続体、及び外装材を構成するための第３連続体が略並行な状態で搬送されつつ加工処理が行われるため、製造ラインの省スペース化が図れる。
【００１１】
また、締結部材を吸収性本体に仮付与し、締結部材と吸収性本体とを第３連続体に一緒に付与する構成であるため、締結部材の第３連続体に対する方向合わせのための回転処理と、吸収性本体の第３連続体に対する方向合わせのための回転処理とを一度に行うことができる。その結果、回転処理のための処理部を１箇所設けておけばよく、製造工程及び設備の簡略化が図れる。
【００１２】
請求項３に記載の発明によれば、締結部材仮付与工程において締結部材を第１連続体又は吸収性本体に仮接合するため、第３連続体への付与時に締結部材が吸収性本体から剥離してしまう等の不都合を防止することができ、締結部材の第３連続体への付与を確実に行うことができる。
【００１３】
請求項４に記載の発明によれば、締結部材が左右一対の締結シート材を備えているため、左右の両側で再締結が可能な吸収性物品を製造できる。
【発明を実施するための最良の形態】
【００１４】
＜使い捨て吸収性物品の構成＞
まず、本実施形態に係る使い捨て吸収性物品の製造方法について説明する前に、その製造方法が適用される使い捨て吸収性物品の構成について説明する。
【００１５】
図１は本発明の一実施形態に係る使い捨て吸収性物品の製造方法が適用される使い捨て吸収性物品（以下、単に「吸収性物品」という）の斜視図であり、図２は図１の使い捨て吸収性物品において前部左側の破断部を破断して展開した状態を示す斜視図であり、図３は図１の使い捨て吸収性物品において左右のサイド接合部を展開した状態を示す図であり、図４は図３のＡ−Ａ断面図であり、図５は図３のＢ−Ｂ断面図である。なお、本明細書において前後左右、というときは着用者を基準としており、例えば、その着用者の左手側を左、右手側を右と呼んでいる。また、吸収性物品１の縦方向Ｙ（図３参照）とは吸収性物品１の上下又は前後方向に対応した方向をいい、吸収性物品１の横方向Ｘ（図３参照）とは吸収性物品１の左右方向に対応した方向をいう。
【００１６】
この吸収性物品１は、図１ないし図５に示すように、吸収性物品本体２と、その吸収性物品本体２に設けられる再締結のための締結部材である左右一対の締結シート材３Ｌ，３Ｒとを備えている。吸収性物品本体２は、吸収性物品本体２の外側に設けられる外装材１１と、吸収性物品本体２の股部に対応する位置に配置され、外装材１１の肌面側に接合される吸収性本体１２とを備えている。
【００１７】
外装材１１は、着用者の前腹部にあてがわれる前部１３と、着用者の後背部にあてがわれる背部１４とを備えている。なお、ここでは外装材１１の前部１３と背部１４とが別体で構成された例について示したが、前部１３と背部１４とが連続的に連なって一体で構成されていてもよい。
【００１８】
前部１３の左右の縁部１３ａと背部１４の左右の縁部１４ａとは、互いに向き合った状態で所定の接合手段により接合され、これによって左右のサイド接合部１５が形成されている。このため、この吸収性物品１は、ウエスト用開口部１６と、左右の脚用開口部１７Ｌ，１７Ｒを有するパンツ型の構成を有している。サイド接合部１５の接合手段としては、超音波溶着、加熱溶着、接着剤（例えば、ホットメルト接着剤）による接着等のいずれか一つ又はそれの複数の組み合わせ等により行われる。
【００１９】
前部１３における横方向Ｘの中心から左右にずれた部分には、その前部１３を破断するための破断部１８Ｌ，１８Ｒがそれぞれ設けられている。破断部１８Ｌ，１８Ｒは、ミシン目等からなっており、工場出荷時は破断部１８Ｌ，１８Ｒはつながった状態となっている。そして、ユーザがこの破断部１８Ｌ，１８Ｒを破断することにより、前部１３を破断部１８Ｌ，１８Ｒの位置で分断し、吸収性物品１を展開できるようになっている。このため、例えば、破断部１８Ｌ，１８Ｒがつながっている状態では、脚用開口部１７Ｌ，１７Ｒに脚を通してこの吸収性物品１をはくようにして使用することができる（すなわち、パンツ型の使い捨ておむつとして使用することができる）。また、破断部１８Ｌ，１８Ｒを切り離した状態では、例えば、この吸収性物品１を着用者の臀部にあてがい、おむつのようにして装着することができる（すなわち、再締結可能なテープ型の使い捨ておむつとして使用することができる）。
【００２０】
吸収性本体１２の前部１３と対向する前側部分１２ａは、前部１３の破断部１８Ｌ，１８Ｒの間の中間領域１３Ｂにおける肌側表面に、接着剤（例えば、ホットメルト接着剤）６１（図９参照）を用いて接合されている。また、吸収性本体１３の背部１４と対向する背側部分１２ｃは、背部１４の肌側部分に接着剤（例えば、ホットメルト接着剤）を用いて接合されている。
【００２１】
また、吸収性本体１２の前側部分１２ａの横方向Ｘの幅Ｗ１は、破断部１８Ｌ，１８Ｒの間隔Ｄ１よりも大きく設定され、前側部分１２ａの左右の縁部１２ｄが破断部１８Ｌ，１８Ｒを超えて横方向Ｘ外方に大きく張り出している。これによって、前側部分１２ａには、破断部１８Ｌ，１８Ｒよりも横方向Ｘ内方に位置し、前部１３と接着剤等により接合される接合領域１２Ａと、その接合領域１２Ａの左右両側に位置する張出領域１２Ｂとが形成されている。
【００２２】
左右の締結シート材３Ｌ，３Ｒは、不織布等により形成される略シート状の基材シート２１と、その基材シート２１の自由端側に付与された第１付着部２２とを備えて構成されている。その第１付着部２２は、吸収性物品本体２の前部１３の外面に設けられた第２付着部２３に着脱自在に付着するようになっている。第２付着部２３は、前部１３の破断部１８Ｌ，１８Ｒ間に位置する部分の外面側に設けられている。第１付着部２２及び第２付着部２３は、互いに再付着可能な構成であれば任意の構成を採用することができる。例えば、第１付着部２２と第２付着部２３とが機械的係合により再締結する面ファスナーを構成するようにしてもよい。例えば、第１付着部２２にフック材を用い、第２付着部２３にそのフック材が係合するループ材を用いることができる。この場合、シート状のループ材を前部１３に貼着することにより第２付着部２３を形成するようにしてもよいし、あるいは、前部２３の外面を構成する不織布等の表面そのものを第２付着部２３として利用してもよい。ここでは、代表例として第１付着部２２にフック材、第２付着部２３にループ材が用いられている。このように吸収性物品１の外面に設けられる第２付着部２３をループ材とすることにより、第２付着部２３が不所望に着用者の衣服や寝具に係合してしまったり、製造途中の製造装置に引っ掛かってしまうなどのトラブルを防止できる。
【００２３】
面ファスナーを構成するフック材としては、錨形、鉤形、きのこ形等の複数のフック部を有するポリオレフィン製のフック材を用いることができる。ループ材としては、織布、編み布、不織布等のフック材と係合しうるループ材であれば任意のものが利用できる。
【００２４】
他の具体例として、第１付着部２２にループ材を用い、第２付着部２３にフック材を用いるようにしてもよい。また、第１付着部２２に粘着シートを用い、その粘着シートが第２付着部２３に着脱自在に付着するようにしてもよい。
【００２５】
締結シート材３Ｌ，３Ｒの基材シート２１は、本体部２１ａと、その本体部２１ａから上下に二股に分かれて基材シート２１の自由端側に延設された２つの舌片部２１ｂとを有している。この基材シート２１は縦方向Ｙに沿った折り畳み線Ｃ１で二つ折りにされた状態で、本体部２１ａの前部１３と対向している部分が、接着剤（例えば、ホットメルト接着剤）６２により前部１３の肌面側に接合されている。この前部１３における基材シート２１が接合される接合領域１３Ａ（図１参照）は、左右の破断部１８Ｌ，１８Ｒの横方向Ｘ外方に設定されている。また、二つ折りにされた状態において、２つの舌片部２１ｂが設けられた基材シート２１の自由端側の部分が横方向Ｘ外方側に折り返されている。第１付着部２２は、その二つ折りされた基材シート２１の間に位置するように、基材シート２１の横方向Ｘ外方に折り返された折り畳み部分（ここでは、２つの舌片部２１ｂ）に付与されている。
【００２６】
そして、このような締結シート材３Ｌ，３Ｒは、前部１３の破断部１８Ｌ，１８Ｒを破断したときに、締結シート材３Ｌ，３Ｒの折り返した部分を図２の矢印Ｅ１で示すように展開できるようになっている。そして、その展開した締結シート材３Ｌ，３Ｒの第１付着部２２を前部１３の第２付着部２３に付着させることにより、この吸収性物品１をおむつのようして着用者にあてがって装着することができるようになっている。これによって、締結シート材３Ｌ，３Ｒを着脱することにより、後述する吸収体４１の汚れを確認したり、締結シート材３Ｌ，３Ｒの第２付着部２３への付着位置を調節して吸収性物品１を着用者の体型にフィットさせることができる。また、締結シート材３Ｌ，３Ｒを左右に備えているため、左右の両側で再締結が可能な吸収性物品１を構成できる。
【００２７】
また、締結シート材３Ｌ，３Ｒは、その基材シート２１が後述する仮接合手段（例えば、仮接合用の接着剤５６（図７参照））により吸収性本体１２に仮接合されている。この仮接合手段は、人手により容易に剥離させることができるようになっており、破断部１８Ｌ，１８Ｒを破断し、締結シート材３Ｌ，３Ｒを展開して使用するときには、締結シート材３Ｌ，３Ｒと吸収性本体１２との仮接合状態が容易に解除されるようになっている。
【００２８】
また、吸収性本体１２の前側部分１２ａの横幅Ｗ１は、二つ折りされた状態で前部１３に接合されている左右の締結シート材３Ｌ，３Ｒの横方向Ｘの外縁部間の間隔Ｄ２よりも大きく設定されている。そして、この状態で、締結シート材３Ｌ，３Ｒは吸収性本体１２の前側部分１２ａによって完全に覆われるようにして、吸収性本体１２と前部１３との間に配置されている。
【００２９】
このように、破断部１８Ｌ，１８Ｒが破断されていない状態では、締結シート材３Ｌ，３Ｒが前部１３の肌面側に備えられているため、締結シート材３Ｌ，３Ｒが着用者の衣服や寝具に付着してしまう等の不都合を防止できる。また、締結シート材３Ｌ，３Ｒの基材シート２１が第１付着部２２を内側に挟み込むようにして二つ折りにされているため、第１付着部２２が不所望に他の部材に付着してしまう等の不都合を防止できる。また、締結シート材３Ｌ，３Ｒが吸収性本体１２によって完全に覆われた状態で、吸収性本体１２と前部１３との間に配置されているため、締結シート材３Ｌ，３Ｒが着用者の肌に接触することがなく、着用者の肌にダメージを与えることがないとともに、製造途中の製造装置等に締結シート材３Ｌ，３Ｒが引っ掛かる等のトラブルも抑制できる。また、吸収性本体１２を幅広の構成とすることにより、大型の吸収体４１を備えることができ、排泄物の吸収容量の向上や漏れ防止性能の向上が図れる。
【００３０】
また、吸収性本体１２の前側部分１２ａにおける破断部１８Ｌ，１８Ｒの横方向Ｘ外方に位置する左右の張出領域１２Ｂには、前部１３側を向いた面に付着部材２４が接着剤（例えば、ホットメルト接着剤）等の接合手段により接合されている。この付着部材２４は、吸収性本体１２の前側部分１２ａにおける張出領域１２Ｂを前部１３側に付着させるためのものであり、例えばフック材により構成されている。この付着部材２４が前部１３の肌面側表面又は締結シート材３Ｌ，３Ｒの基材シート２１に係合等して付着することにより、吸収性本体１２の張出領域１２Ｂが前部１３側に付着するようになっている。これよって、破断部１８Ｌ，１８Ｒが不所望に破断したりしないように補強する効果が得られる。また、吸収性本体１２の張出領域１２Ｂを安定させることができるため、吸収性物品１を上げ下げするときなどに、吸収性本体１２の前側部分１２ａの左右の縁部１２ｄがめくれたり、折れ曲がったりするのを防止できる。また、製造工程において、吸収性本体１２の前側部分１２ａの横方向Ｘ端部がめくれて、締結シート材３Ｌ，３Ｒが製造装置に引っ掛かったり、吸収性本体１２が折れ曲がったりするのを防止できる。
【００３１】
前部１３の上縁部には、左右の破断部１８Ｌ，１８Ｒが形成される破断部形成領域１３Ｂ、及び左右の締結シート材３Ｌ，３Ｒが接合される接合領域１３Ａを除いて、その上縁部に沿ってウエスト用弾性部材２６が伸張された状態で付与されている。また、背部１４の上縁部には、その上縁部に沿ってウエスト用弾性部材２７が伸張された状態で付与されている。そして、これらのウエスト用弾性部材２６，２７の収縮力によって、前部１３及び背部１４の上縁部が着用者のウエストにフィットし、尿等の排泄物の漏れが防止される。
【００３２】
また、前部１３及び背部１４の脚用開口部１７Ｌ，１７Ｒを形成する縁部には、その縁部に沿って脚用弾性部材２８，２９が伸張された状態で付与されている。そして、これらの脚用弾性部材２８，２９の収縮力によって、前部１３及び脚用開口部１７Ｌ，１７Ｒを形成する縁部が着用者の脚周りにフィットし、尿等の排泄物の漏れが防止される。特に、脚用弾性部材２９の作用により、背部１４の脚用開口部１７Ｌ，１７Ｒを形成する縁部が着用者の臀部にしっかりとフィットするようになっている。
【００３３】
さらに、前部１３における着用者の胴周りに位置する部分（前部１３の縦方向Ｙの中間部）には、左右の破断部形成領域１３Ｂ、左右の接合領域１３Ａ及び第２付着部２３が設けられる中間領域１３Ｃを除いて、横方向Ｘに沿ってボディ用弾性部材３０が伸張された状態で付与されている。また、背部１４における着用者の胴周りに位置する部分（背部１４の縦方向Ｙの中間部）には、吸収性本体１２が接合される接合領域１４Ａ（図６（ｃ）参照）を除いて、横方向Ｘに沿ってボディ用弾性部材３１が伸張された状態で付与されている。そして、これらのボディ用弾性部材３０，３１の収縮力によって、前部１３及び背部１４の縦方向Ｙの中間部を着用者の胴周りにフィットさせることができる。
【００３４】
ここで、図１及び図２では図面上描かれていないが、前部１３の締結シート材３Ｌ，３Ｒが接合される接合領域１３Ａにも弾性部材２６，２８，３０は弱化処理された状態で存在しいるとともに、中間領域１３Ｃにも弾性部材２８，３０が弱化処理された状態で存在している。さらに、背部１４の接合領域１４Ａにも弾性部材２９，３１が弱化処理された状態で存在している。これらの弱化処理については、後の製造方法についての記載中で詳述する。
【００３５】
このように、接合領域１３Ａに位置する弾性部材２６，２７，３０が弱化されているため、締結シート材３Ｌ，３Ｒにシワや歪みが生じるのが防止され、締結シート材３Ｌ，３Ｒの機能が損なわれるのが防止できるようになっている。
【００３６】
また、前部１３に設けられる弾性部材２６，２８，３０が、その切断端２６ａ，２８ａ，３０ａ（図５、図６（ａ）参照）が破断部１８Ｌ，１８Ｒから離間するように切断されている。より詳細には、例えば、破断部１８Ｌ，１８Ｒが、縦方向Ｙに沿って断続的にシート材３６，３７に設けられた複数の細長い切断部と、その各切断部間に設けられた複数の接続部とからなっている場合、弾性部材２６，２８，３０の切断端２６ａ，２８ａ，３０ａは、その接続部から横方向Ｙに離間している。
【００３７】
このように弾性部材２６，２８，３０が、その切断端２６ａ，２８ａ，３０ａが破断部１８Ｌ，１８Ｒから離間するように切断されているため、破断部１８Ｌ，１８Ｒを破断するときに弾性部材２６，２８，３０が障害となることがなく、破断部１８Ｌ，１８Ｒを容易に破断することができる。
【００３８】
ここで、弾性部材２６，２８，３０の切断端２６ａ，２８ａ，３０ａを破断部１８Ｌ，１８Ｒから離間させるのは、切断時の弾性部材２６，２８，３０の収縮を利用するのが好ましい。例えば、破断部１８Ｌ，１８Ｒの近傍において、弾性部材２６，２８，３０とそれを挟込む後述のシート材３６，３７との接合力を弱く設定しておく、あるいは弾性部材２６，２８，３０の接合を行わないようにしておくとよい。そうしておけば、弾性部材２６，２８，３０を破断部１８Ｌ，１８Ｒを形成する位置又はその近傍で切断すると、弾性部材２６，２８，３０が収縮して、その切断端２６ａ，２８ａ，３０ａが破断部１８Ｌ，１８Ｒから後退して離間する。より具体的には、例えば、弾性部材２６，２８，３０を接着剤（例えば、ホットメルト接着剤）によってシート材３６，３７に接合する場合、破断部１８Ｌ，１８Ｒの近傍において、接着剤を塗布しない、あるいはその塗布量や塗布面積を下げておくのがよい。
【００３９】
次に、この吸収性物品１の各部のより詳細な説明を行う。
【００４０】
前部１３は、不織布等からなる２枚のシート材３６，３７の間に、弾性部材２６，２８，３０を挟み込んで構成されている。シート材３６，３７同士の接合及び弾性部材２６，２８，３０のシート材３６，３７への接合は、接着剤（例えば、ホットメルト接着剤）、熱溶着、超音波溶着等の接合手段を用いて行われる。また、背部１４も、不織布等からなる２枚のシート材３８，３９の間に、弾性部材２７，２９，３１を挟み込んで構成されている。シート材３８，３９同士の接合及び弾性部材２７，２９，３１のシート材３８，３９への接合は、接着剤（例えば、ホットメルト接着剤）、熱溶着、超音波溶着等の接合手段を用いて行われる。
【００４１】
吸収性本体１２は、図３及び図４に示すように、着用者の排泄物を吸収する吸収体４１が備えられた本体部４２と、左右の起立部４３と備えて構成されている。本体部４２は、吸収体４１を撥水性又は不透液性のバックシート４４と透液性のトップシート４５とによって挟み込んで構成されている。このため、着用者の排泄物は、トップシート４５を介して吸収体４１に吸収されて保持されるようになっている。また、バックシート４４を撥水性又は不透液性とすることにより、吸収体４１中の排泄物が外側に漏れるのが防止されるようになっている。
【００４２】
起立部４３は、バックシート４４及びトップシート４５の左右両側の縁部が重ね合わされた状態で互いに接合されて本体部４１の肌面側に折り返されることにより形成されている。バックシート４４とトップシート４５との接合、及び吸収体４１のバックシート４４又はトップシート４５への接合は、接着剤（例えば、ホットメルト接着剤）等の接合手段により行われる。
【００４３】
より詳細には、起立部４３の自由端部では、バックシート４４の左右の外縁部が略袋状に内側に折り返され、バックシート４４中に包み込まれるようにして起立用弾性部材４６がその自由端部に沿って伸張された状態で付与されている。そして、この起立用弾性部材４６の収縮力によって、起立部４３が着用者の肌面側に立ち上がり、肌面にフィットするようになっている。そして、この起立部４３により、着用者の排泄物のうち、トップシート４５を介して吸収体４１に吸収しきれなかったものが横方向Ｘ外方に漏れるのが防止されるようになっている。なお、起立部４３の前側端部及び背側端部は、接着剤（例えば、ホットメルト接着剤）等の接合手段により本体部４２に接合されており、起立部４３の長手方向の中間部が起立するようになっている。
【００４４】
ここで、吸収性本体１２と背部１４との接合形態について補足説明する。吸収性本体１２の外側面（バックシート４４）における主に吸収体４１が設けられる領域を、背部１４の肌面側に接合し、吸収体４１よりも外側の領域については背部１４と接合しないようにするのが望ましい。これによって、吸収性本体１２の吸収体４１よりも外側の領域が自由になり、起立部４３が起立しやすくなる。
【００４５】
また、図３等に示す構成では、前側部分１２ａに位置する吸収体４１の横方向Ｘの幅は左右の破断部１８Ｌ，１８Ｒ間の間隔Ｄ１よりも大きくしているが、吸収体４１のこの部分の幅を間隔Ｄ１よりも小さくしても構わない。
【００４６】
次に、この吸収性物品１の各部の材料について説明する。
【００４７】
前部１３及び背部１４の外側のシート材３６，３８としては、撥水性の合成繊維不織布や液体不透過性のプラスチックフィルム等のシート材料が好適に使用され、中でも目付１０〜３０ｇ／ｍ2のポリプロピレン製スパンボンド不織布が好ましい。
【００４８】
弾性部材２６〜３１，４６としては、通常の使い捨て吸収性物品に用いられる弾性伸縮材料（例えば、ポリウレタンフィルム、天然ゴム等）が用いられ、伸張された状態でシート材間に挟み込まれている。好ましくは、繊度３００〜２０００デシテックスのポリウレタン糸を倍率１．１〜５．０倍に伸張した状態でシート材間に挟み込むのがよい。
【００４９】
ホットメルト接着剤を用いて弾性部材２６〜３１，４６をシート材に接合する場合には、弾性部材２６〜３１，４６にホットメルト接着剤を直接塗布する方法、シート材に直接又は間接的にホットメルト接着剤を塗布する方法から適宜選択した方法により、ホットメルト接着剤の塗布を行う。弾性部材２６〜３１，４６に直接塗布する場合には、１本の弾性部材２６〜３１，４６当たり、０．０１〜１．０ｇ／ｍの量を塗布するのが望ましい。また、シート材に直接塗布（コーター塗工）する場合には、１０〜４０ｇ／ｍ2の量を塗布するのが望ましい。また、シート材に間接塗布（スパイラル塗工、カーテン塗工、ジグザグ塗工）する場合には、１〜１０ｇ／ｍ2の量を塗布するのが望ましい。使用するホットメルト接着剤としては、スチレン系ブロックポリマーをベースポリマーとして含むゴム系ホットメルト接着剤、エチレン・プロピレンコポリマー等のアモルファスポリアルファオレフィン（ＡＰＡＯ）等の通常のオレフィンをベースポリマーとして含むオレフィン系ホットメルト接着剤、エチレン−酢酸ビニルコポリマー（ＥＶＡ）又はポリエステルをベースポリマーとして含むものを用いてもよいが、弾性部材２６〜３１をしっかりと接合する目的からゴム系ホットメルト接着剤を用いるのが好ましい。
【００５０】
吸収性本体１２のバックシート４４としては、撥水性の合成繊維不織布や不透液性のプラスチックフィルムやそれらの複合材料等のシート材が好適に使用され、中でも目付１０〜４０ｇ／ｍ2のポリエチレン製の透湿性プラスチックフィルムが好ましい。
【００５１】
トップシート４５としては、透液性の合成繊維不織布や複数の孔が設けられたプラスチックフィルム等のシート材が好適に使用され、中でも目付１０〜３０ｇ／ｍ2のポリオレフィン製のエアースルー不織布が好ましい。
【００５２】
吸収体４１としては、主に粉砕したパルプ繊維やセルロース繊維等の親水性繊維の集合体をティッシュペーパ又は不織布等の透液性のシート材で包み込んで成形したものが用いられる。排泄物の処理能力を高めるために高吸水性樹脂粉末を前記集合体に混ぜてもよい。その高吸水性樹脂粉末は、ポリアクリル酸等を主原料とする粉末状の高分子樹脂である。本実施形態が適用される吸収体４１は、高吸水性樹脂粉末を２０重量％以上含むものであることが望ましいが、より好ましくは２０〜８０重量％含むものがよい。さらに好ましくは２０〜６０重量％含むものがよい。２０重量％未満であると、高吸水性樹脂粉末が少なく吸収体４１からの逆戻りが増大してしまう。また、８０重量％よりも多いと、吸収体４１が堅くなってしまう。
【００５３】
締結シート材３Ｌ，３Ｒのシート基材２１としては、合成樹脂製のフィルムや合成繊維不織布等のシート材料が適宜利用できる。中でも、目付３０〜１００ｇ／ｍ2のポリオレフィン製もしくはポリエステル製のスパンボンド不織布が好ましい。
【００５４】
＜使い捨て吸収性物品の製造方法＞
以下では、図６（ａ）〜図６（ｃ）、図７及び図８（ａ）、図８（ｂ）、図９を参照して、本実施形態に係る使い捨て吸収性物品の製造方法について説明する。
【００５５】
この製造方法は、
（Ｓ０１）  前部連続体形成工程
（Ｓ０２）  前部弾性部材切断工程
（Ｓ０３）  前部弾性部材弱化処理工程
（Ｓ０４）  第２付着部付与工程
（Ｓ０５）  破断部形成工程
（Ｓ０６）  背部連続体形成工程
（Ｓ０７）  背部弾性部材弱化処理工程
（Ｓ０８）  吸収性本体形成工程
（Ｓ０９）  締結シート材形成工程
（Ｓ１０）  締結シート材仮付与工程
（Ｓ１１）  吸収性本体付与工程
（Ｓ１２）  脚周り成形工程
（Ｓ１３）  二つ折り工程
（Ｓ１４）  サイド接合工程
（Ｓ１５）  製品分断工程
を備えている。前記工程はおおよそその記載順序に従って処理されてゆくが、工程Ｓ０１〜Ｓ０５と工程Ｓ０６，Ｓ０７と工程Ｓ０８〜Ｓ１０との関係については、工程Ｓ０１〜Ｓ０５と工程Ｓ０６，Ｓ０７と工程Ｓ０８〜Ｓ１０とを同時並行で行うようにしてもよく、あるいは工程Ｓ０１〜Ｓ０５と工程Ｓ０６，Ｓ０７と工程Ｓ０８〜Ｓ１０との順番を組み替えてもよい。また、破断部形成工程Ｓ０５は、工程Ｓ０２〜Ｓ０４の前で行ってもよく、あるいは工程Ｓ０２〜Ｓ０４のいずれかの間で行うようにしてもよい。
【００５６】
工程Ｓ０１〜Ｓ０５では、図６（ａ）及び図６（ｂ）に示すように、前部１３を構成するための前部連続体５１等をその長手方向に沿った搬送方向Ｆ１に搬送しつつ、加工処理が行われる。前部連続体形成工程Ｓ０１では、前部１３を構成するための前部連続体５１が形成される。この前部連続体５１は、前部１３を構成するための材料が吸収性物品１を基準として横方向Ｘに連続的に連なってなるものであり、シート材３６，３７の連続体の間に、弾性部材２６，２８，３０を構成するための弾性部材２６Ａ，２８Ａ，３０Ａが連続的に連なった状態で挟み込まれて構成されている。なお、本発明に係る第３連続体には前部連続体５１が相当している。また、この前部連続体５１の搬送方向Ｆ１、後述する背部連続体５２の搬送方向Ｆ２、後述する吸収性本体連続体５４の搬送方向Ｆ３、後述する締結シート連続体５５の搬送方向Ｆ４、及び、後述する前部連続体５１と背部連続体５２とを並列搬送する際の搬送方向Ｆ５は、互いに略平行に設定されている。
【００５７】
ここで、本実施形態では、前部１３と背部１４を別体に構成するため、前部１３を構成するための前部連続体５１と背部１４を構成するための後述する背部連続体５２とが別体の構成となっているが、前部１３と背部１４とが一体に構成される場合には、前部連続体５１と背部連続体５２とは一体に構成されることとなる。
【００５８】
また、本実施形態に係る製造方法が適用される吸収性物品１では、破断部１８Ｌ，１８Ｒ、締結シート材３Ｌ，３Ｒ及び第２付着部２３が吸収性物品１の前側に設けられる構成であるため、前部連続体５１が本発明に係る第３連続体に相当することとなっている。しかし、破断部１８Ｌ，１８Ｒ、締結シート材３Ｌ，３Ｒ及び第２付着部２３が吸収性物品１の背側に設けられる構成としてもよい。その場合には、破断部１８Ｌ，１８Ｒ、締結シート材３Ｌ，３Ｒ及び第２付着部２３を背部連続体５２に設けることとなるため、背部連続体５２が本発明に係る第３連続体に相当することとなる。
【００５９】
続く前部弾性部材切断工程Ｓ０２において、前部連続体５１中に挟み込まれている弾性部材２６Ａ，２８Ａ，３０Ａが、吸収性物品１の破断部１８Ｌ，１８Ｒを形成すべき破断部形成領域１３Ｂにてカッターの刃により切断される。弾性部材２６Ａ，２８Ａ，３０Ａは切断されたときに、その収縮力によりその切断端部が切断箇所から後退するようになっているため、破断部形成領域１３Ｂには弾性部材２６Ａ，２８Ａ，３０Ａが存在しない状態となる。このように、弾性部材２６Ａ，２８Ａ，３０Ａを前部連続体５１に連続的に付与した後で、弾性部材２６Ａ，２８Ａ，３０Ａの切断端２６ａ，２８ａ，３０ａが破断部１８Ｌ，１８Ｒから離間するように弾性部材２６Ａ，２８Ａ，３０Ａを切断する構成であるため、弾性部材２６Ａ，２８Ａ，３０Ａの付与を容易に行いつつ、破断部１８Ｌ，１８Ｒに弾性部材２６Ａ，２８Ａ，３０Ａが存在しない構成を容易に実現できる。
【００６０】
また、弾性部材２６Ａ，２８Ａ，３０Ａの接合に用いる接合手段（接着剤等）の硬化にある程度の時間を要する等の要因により、弾性部材２６Ａ，２８Ａ，３０Ａがシート材３６，３７間に挟み込まれてから時間が経過していない段階ほど、切断時の収縮による弾性部材２６Ａ，２８Ａ，３０Ａの移動量が大きい傾向にある。このため、前部連続体５１の形成後のすぐ後の段階で弾性部材２６Ａ，２８Ａ，３０Ａの切断を行うことにより、弾性部材２６Ａ，２８Ａ，３０Ａの収縮を利用して切断端２６ａ，２８ａ，３０ａを破断部１８Ｌ，１８Ｒから確実かつ容易に離間させることができる。
【００６１】
続く前部弾性部材弱化処理工程Ｓ０３では、前部連続体５１の締結部材接合領域１３Ａに対応する部分に対して、その部分に挟み込まれている弾性部材２６Ａ，２８Ａ，３０Ａに対する弱化処理が行われる。また、前部連続体５１の中間領域１３Ｃに対応する部分に対しても、その部分に挟み込まれる弾性部材２８Ａ，３０Ａに対する弱化処理が行われる。この弱化処理は、弾性部材２６Ａ，２８Ａ，３０Ａの収縮力を弱化させる又は実質的に消失させる処理であり、例えば弾性部材２６Ａ，２８Ａ，３０Ａを１箇所又は複数箇所で切断することにより行われる。その切断処理は、ロータリーダイカッターによる切断、加熱や超音波を用いた溶断などが用いられる。
【００６２】
このように接合領域１３Ａに設けられた弾性部材２６Ａ，２８Ａ，３０Ａに対して弱化処理を行ってから締結シート材３Ｌ，３Ｒの接合を行うことにより、弾性部材２６Ａ，２８Ａ，３０Ａの収縮力により締結シート材３Ｌ，３Ｒにシワや歪みが生じるのを防止でき、締結シート材３Ｌ，３Ｒの機能を損なうことがない。また、中間領域１３Ｃに設けられた弾性部材２８Ａ，３０Ａに対して弱化処理を行うことにより、弾性部材２８Ａ，３０Ａの収縮力により吸収性本体１２の吸収体４１に無理な力が作用し、吸収体４１の吸収性能が損なわれるのが防止される。また、弾性部材２６Ａ，２８Ａ，３０Ａに対して弱化処理を行ってからファスナー材（３Ｌ，３Ｒ，２３）を付与することにより、ファスナー材（３Ｌ，３Ｒ，２３）を傷つけずに確実に弾性部材２６Ａ，２８Ａ，３０Ａに対する弱化処理を行うことができる。
【００６３】
続く第２付着部付与工程Ｓ０４では、前部連続体５１に対する第２付着部２３を構成するループ材等の付与が行われる。この第２付着部２３の形成は、前部連続体５１の外面側の中間領域１３Ｃに対応する部分に、ループ材等を接着剤等の上述の接合手段を用いて接合することにより行われる。
【００６４】
続く破断部形成工程Ｓ０５では、破断部１８Ｌ，１８Ｒの形成が行われる。
【００６５】
一方、背部１４の形成に関係する工程Ｓ０６，Ｓ０７では、図６（ｃ）に示すように、背部１４を構成するための背部連続体５２等をその長手方向に沿った搬送方向Ｆ２に搬送しつつ、加工処理が行われる。背部連続体形成工程Ｓ０６では、背部１４を構成するための背部連続体５２が形成される。この前部連続体５２は、背部１４を構成するための材料が吸収性物品１を基準として横方向Ｘに連続的に連なってなるものであり、シート材３８，３９の連続体の間に、弾性部材２７，２９，３１を構成するための弾性部材２７Ａ，２９Ａ，３１Ａが連続的に連なった状態で挟み込まれて構成されている。
【００６６】
続く背部弾性部材弱化処理工程Ｓ０７では、背部連続体５２の吸収性本体１２が接合される接合領域１４Ａに対応する部分に対して、その部分に挟み込まれている弾性部材２９Ａ，３１Ａに対する弱化処理が行われる。この弱化処理は、前述の前部弱化処理工程Ｓ０３と同様な方法により行われる。このように背部連続体５２の接合領域１４Ａに設けられた弾性部材２９Ａ，３１Ａに対して弱化処理を行うことにより、弾性部材２９Ａ，３１Ａの収縮力により吸収性本体１２の吸収体４１に無理な力が作用し、吸収体４１の吸収性能が損なわれるのが防止される。
【００６７】
次に、図７を参照して、吸収性本体形成工程Ｓ０８、締結シート材形成工程Ｓ０９及び締結シート材仮付与工程Ｓ１０について説明する。なお、締結シート材形成工程Ｓ０９は本発明に係る締結部材形成工程に相当し、締結シート材仮付与工程Ｓ１０は本発明に係る締結部材仮付与工程に相当している。また、工程Ｓ０８と工程０９との関係については、これらを同時並行して行うようにしてもよく、いずれか一方を先に行うようにしてもよい。また、工程Ｓ１０における締結シート材３Ｌ，３Ｒの仮付与処理と工程Ｓ０９における吸収性本体連続体５４の分断処理との関係については、いずれの処理を先に行うようにしてもよい。
【００６８】
吸収性本体形成工程Ｓ０８では、図７に示すように、吸収性本体１２を構成するための吸収性本体連続体５４等をその長手方向に沿った搬送方向Ｆ３に搬送しつつ、加工処理が行われる。具体的には、この工程Ｓ０８では、吸収性本体１２を構成するための吸収性本体連続体５４が形成され、その吸収性本体連続体５４が、例えば分断位置Ｇ１で単位長さごとに分断されて吸収性本体１２が形成される。なお、ここで、吸収性本体連続体５４とは、本発明に係る第１連続体に相当するものであり、吸収性本体１２を構成するための材料が吸収性物品１の縦方向Ｙに連続的に連なって構成されてるものである。
【００６９】
締結シート材形成工程Ｓ０９では、図７に示すように、締結部材３Ｌ，３Ｒを構成するための締結シート連続体５５等をその長手方向に沿った搬送方向Ｆ４に搬送しつつ、加工処理が行われる。具体的には、この工程Ｓ０９では、締結シート材３Ｌ，３Ｒを構成するための締結シート連続体５５が形成され、その締結シート連続体５５が中央部で略波線状にカットされて２つの分割連続体５５ａ，５５ｂが形成される。続いて、その分割連続体５５ａ，５５ｂにおける折り畳み部（例えば、舌片部２１ｂ）に相当する部分が、第１付着部２２を内側に挟み込むようにして順次折り畳まれていき、分割連続体５５ａ，５５ｂが二つ折り状態とされる。続いて、その分割連続体５５ａ，５５ｂが所定長さごとに分断され、締結シート材３Ｌ，３Ｒが形成される。ここで、締結シート連続体５５は、本発明に係る第２連続体に相当するものであり、左右に締結シート材３Ｌ，３Ｒの基材シート２１に対応したシート材の中央部に第１付着部２２が付与されたものが、吸収性物品１の縦方向Ｙに連続的に連なったものである。なお、この工程Ｓ０９では、単位長さに分断される前の二つ折り状態の分割連続体５５ａ，５５ｂの肌面側に仮接合用の接着剤（例えば、ホットメルト接着剤）５６が塗布される。この接着剤５６は、締結シート材３Ｌ，３Ｒの吸収性本体１２への仮接合のためのものであり、塗工処理部５７によって塗布される。変形例として、接着剤５６を吸収性本体連続体５４又は吸収性本体１２側に塗布するようにしてもよい。
【００７０】
締結シート材仮付与工程Ｓ１０では、図７に示すように、仮接合用の接着剤５６が塗布された締結シート材３Ｌ，３Ｒが、図示しない転写ロータ等の付与手段によって、分断前の吸収性本体連続体５４又は分断後の吸収性本体１２の外面側に仮接合される。なお、前述の付着部材２４は、締結シート材３Ｌ，３Ｒの仮接合処理の前に、吸収性本体連続体５４又は分断後の吸収性本体１２に対して接合されるようになっている。
【００７１】
続く吸収性本体付与工程Ｓ１１及び脚周り成形工程Ｓ１２では、図８（ａ）に示すように前部連続体５１と背部連続体５２が平行に並列されてそれらの長手方向に沿った搬送方向Ｆ５に搬送されつつ処理が行われる。吸収性本体付与工程Ｓ０８では、前部連続体５１及び背部連続体５２の肌面側に、吸収性本体１２が前述の接着剤６１により接合される。これに伴って、吸収性本体１２に仮接合されている締結シート材３Ｌ，３Ｒが接着剤６２により前部連続体５１に本接合される。この吸収性本体付与工程５２の処理内容については、後により詳しく説明する。このとき、左右の締結シート材３Ｌ，３Ｒが吸収性本体１２により完全に覆われた状態で、前部連続体５１と吸収性本体１２との間に位置するようになっている。このため、これより後の工程で、締結シート材３Ｌ，３Ｒが製造装置に引っ掛かってしまう等のトラブルが防止できる。
【００７２】
また、吸収性本体１２は前述の付着部材２４が付与された状態で連続体５１，５２に付与されるようになっている。このため、吸収性本体１２の連続体５１，５２への付与に伴って、付着部材２４が前部連続体５１側の締結シート材３Ｌ，３Ｒに付着し、吸収性本体１２の前側部分１２ａの横方向Ｘ端部を安定させることができる。それ故、後の工程で吸収性本体１２の前側部分１２ａの横方向Ｘ端部がめくれて、締結シート材３Ｌ，３Ｒが製造装置等に引っ掛かったり、吸収性本体１２が折れ曲がったりするのを防止できる。
【００７３】
そして、脚周り成形工程Ｓ１２では、背部連続体５２における脚用開口部１７Ｌ，１７Ｒを形成する部分が切除されて、脚穴５３が形成される。
【００７４】
続く二つ折り工程Ｓ１３では、図８（ｂ）に示すように、前部連続体５１と背部連続体５２とが重ね合わされるようにして二つ折りにされる。ことのき、吸収性本体１２が内側に挟み込まれる。
【００７５】
続くサイド接合工程Ｓ１４では、二つ折りされた連続体５１，５２における吸収性物品１のサイド接合部１５に対応する部分が前述の超音波溶着等の接合手段により接合される。
【００７６】
続く製品分断工程Ｓ１５では、完成品である吸収性物品１が製品ごとに切断されて分離される。
【００７７】
次に、吸収性本体付与工程Ｓ１１での処理内容についてより詳細に説明する。
【００７８】
吸収性本体付与工程Ｓ１１では、図９に示すように、前部連続体５１と背部連続体５２とを並列状態で搬送する搬送方向Ｆ５と、吸収性本体連続体５４及び締結シート連続体５５の搬送方向Ｆ３，Ｆ４とを略平行状態に保持した状態で処理が行われるようになっている。なお、図９では図示の便宜上背部連続体５２が省略されている。
【００７９】
すなわち、この工程Ｓ１１では、前部連続体５１と背部連続体５２とを並列状態で搬送方向Ｆ５に搬送しつつ、締結シート材３Ｌ，３Ｒが仮接合されている吸収性本体１２が、搬送方向Ｆ３，Ｆ４と垂直な軸周りに略９０度回転されて、前部連続体５１及び背部連続体５２に付与される。この吸収性本体１２の連続体５１，５２への付与は、例えば回転器付きの転写ロール等を用いて行われる。吸収性本体１２の付与のとき、背部連続体５１における吸収性本体１２が接合される部分及び左右の締結シート材３Ｌ，３Ｒが本接合される部分には、接着剤（例えば、ホットメルト接着剤）６１，６２がされており、この接着剤６１，６２により吸収性本体１２が前部連続体５１に接合されるとともに、締結シート材３Ｌ，３Ｒが前部連続体５１に本接合される。また、図示は省略しているが、背部連続体５２における吸収性保体１２が接合される部分にも接着剤が付与されている。なお、ここでは接着剤６１，６２を前部連続体５１側に塗布したが、接着剤６１，６２を吸収性本体１２及び締結シート材３Ｌ，３Ｒ側に塗布するようにしてもよい。この点は、吸収性本体１２と背部連続体５２との接合用の接着剤についても同様である。
【００８０】
このように、締結シート材３Ｌ，３Ｒを吸収性本体１２に仮接合しておき、吸収性本体１２の前部連続体５１への付与に伴って締結シート材３Ｌ，３Ｒが前部連続体５１に接着剤６２により本接合される構成であるため、締結シート材３Ｌ，３Ｒを単独で前部連続体５１に付与する場合に比して、締結シート材３Ｌ，３Ｒを格段に安定させた状態で前部連続体５１に接合することができ、その結果、締結シート材３Ｌ，３Ｒを前部連続体５１に確実に接合することができる。
【００８１】
また、前部連続体５１、背部連続体５２、吸収性本体連続体５４及び締結シート連続体５５を略平行状態で搬送しつつ加工処理が行われるようになっているため、製造ラインの省スペース化が図れる。
【００８２】
また、締結シート材３Ｌ，３Ｒを吸収性本体１２に仮接合し、締結シート材３Ｌ，３Ｒと吸収性本体１２とを前部連続体５１に一緒に付与する構成であるため、締結シート材３Ｌ，３Ｒの前部連続体５１に対する方向合わせのための回転処理と、吸収性本体１２の前部連続体５１に対する方向合わせのための回転処理とを一度に行うことができる。その結果、回転処理のための処理部を１箇所設けておけばよく、製造工程及び設備の簡略化が図れる。
【００８３】
また、締結シート材仮付与工程Ｓ１０において締結シート材３Ｌ，３Ｒを接着剤５６により吸収性本体連続体５４又は吸収性本体１２に仮接合するため、前部連続体５１への付与時に締結シート材３Ｌ，３Ｒが吸収性本体１２から剥離してしまう等の不都合を防止することができ、締結シート材３Ｌ，３Ｒの前部連続体５１への付与を確実に行うことができる。
【図面の簡単な説明】
【００８４】
【図１】本発明の一実施形態に係る使い捨て吸収性物品の製造方法が適用される使い捨て吸収性物品の斜視図である。
【図２】図１の使い捨て吸収性物品において前部左側の破断部を破断して展開した状態を示す斜視図である。
【図３】図１の使い捨て吸収性物品において左右のサイド接合部を展開した状態を示す図である。
【図４】図３のＡ−Ａ断面図である。
【図５】図３のＢ−Ｂ断面図である。
【図６】図６（ａ）ないし図６（ｃ）は本発明の一実施形態に係る使い捨て吸収性物品の製造工程を示す図である。
【図７】図７は本発明の一実施形態に係る使い捨て吸収性物品の製造工程を示す図である。
【図８】図８（ａ）及び図８（ｂ）は本発明の一実施形態に係る使い捨て吸収性物品の製造工程を示す図である。
【図９】図８（ａ）における吸収性本体付与工程の説明図である。
【符号の説明】
【００８５】
１  吸収性物品、２  吸収性物品本体、３，３Ｌ，３Ｒ  締結シート材、１１  外装材、１２  吸収性本体、１２ａ  前側部分、１２ｃ  背側部分、１２ｄ  縁部、１２Ａ  接合領域、１２Ｂ  張出領域、１３  前部、１３ａ  縁部、１３Ａ  接合領域、１３Ｂ  破断部形成領域、１３Ｃ  中間領域、１４  背部、１４ａ  縁部、１５  サイド接合部、１６  ウエスト用開口部、１７Ｌ，１７Ｒ  脚用開口部、２１  基材シート、２１ａ  本体部、２１ｂ  舌片部、２２  第１付着部、２３  第２付着部、２４  付着部材、２６，２７  ウエスト用弾性部材、２８，２９  脚用弾性部材、２６ａ，２８ａ，３０ａ  切断端、２６Ａ〜３１Ａ  弾性部材、３０，３１  ボディ用弾性部材、３６〜３８  シート材、４１  吸収体、４２  本体部、４３  起立部、４４  バックシート、４５  トップシート、４６  起立用弾性部材、５１  前部連続体、５２  背部連続体、５３  脚穴、５４  吸収性本体連続体、５５  締結シート連続体、５５ａ，５５ｂ  分割連続体、５６  接着剤、５７  塗工処理部、６１，６２  接着剤、Ｃ１  折り畳み線、Ｆ１〜Ｆ５  搬送方向。
【図１】
0004745119.tif 000002
【図２】
0004745119.tif 000003
【図３】
0004745119.tif 000004
【図４】
0004745119.tif 000005
【図５】
0004745119.tif 000006
【図６】
0004745119.tif 000007
【図７】
0004745119.tif 000008
【図８】
0004745119.tif 000009
【図９】
0004745119.tif 000010